(57)【特許請求の範囲】
【請求項１】
加熱部と、この加熱部を通り両端が浴槽に接続される追焚用循環回路と、この追焚用循環回路に注湯管を介して連なる給湯器と、浴槽の排水を検出する排水検出手段と、浴槽水位を検出する水位センサと、制御手段とを備えた給湯器付き追焚装置において、
さらに、外気温センサと、上記水位センサによる検出水位の上昇により人が浴槽に入ったことを検出する入浴検出手段と、この入浴検出手段で検出された入浴の回数を記憶する記憶手段とを備え、
上記制御手段は、上記排水検出手段で排水を検出した時に、上記記憶手段で記憶された入浴回数に基づいて洗浄の要否を判断し、入浴回数が閾値以上で洗浄要と判断した時には、上記給湯器から追焚用循環回路に湯を供給し、入浴回数が閾値未満で洗浄不要と判断した時には湯の供給を実行せず、
しかも制御手段は、上記外気温センサで検出された外気温度に基づき上記閾値を決定し、外気温度が高いほど閾値を小さくすることを特徴とする給湯器付き追焚装置。
【請求項２】
加熱部と、この加熱部を通り両端が浴槽に接続される追焚用循環回路と、この追焚用循環回路に注湯管を介して連なる給湯器と、浴槽の排水を検出する排水検出手段と、浴槽水位を検出する水位センサと、制御手段とを備えた給湯器付き追焚装置において、
さらに、外気温センサと、上記水位センサによる検出水位の上昇により人が浴槽に入ったことを検出する入浴検出手段と、この入浴検出手段で検出された入浴の時間を記憶する記憶手段とを備え、
上記制御手段は、上記排水検出手段で排水を検出した時に、上記記憶手段で記憶された入浴時間に基づいて洗浄の要否を判断し、入浴時間が閾値以上で洗浄要と判断した時には、上記給湯器から追焚用循環回路に湯を供給し、入浴時間が閾値未満で洗浄不要と判断した時には湯の供給を実行せず、
しかも制御手段は、上記外気温センサで検出された外気温度に基づき上記閾値を決定し、外気温度が高いほど閾値を小さくすることを特徴とする給湯器付き追焚装置。
【請求項３】
加熱部と、この加熱部を通り両端が浴槽に接続される追焚用循環回路と、この追焚用循環回路に注湯管を介して連なる給湯器と、浴槽の排水を検出する排水検出手段と、制御手段とを備えた給湯器付き追焚装置において、
さらに外気温センサを備え、
上記制御手段は、上記排水検出手段で排水を検出した時に洗浄の要否を判断し、過去の湯張り回数または排水回数が閾値に達している場合には、洗浄要と判断して上記給湯器から追焚用循環回路に湯を供給し、閾値に達していない場合には洗浄不要と判断して湯の供給を実行せず、
しかも制御手段は、上記外気温センサで検出された外気温度に基づき上記閾値を決定し、外気温度が高いほど閾値を小さくすることを特徴とする給湯器付き追焚装置。
【請求項４】
加熱部と、この加熱部を通り両端が浴槽に接続される追焚用循環回路と、この追焚用循環回路に注湯管を介して連なる給湯器と、浴槽の排水を検出する排水検出手段と、制御手段とを備えた給湯器付き追焚装置において、
さらに外気温センサを備え、
上記制御手段は、上記排水検出手段で排水を検出した時に洗浄の要否を判断し、前回の洗浄からの経過時間が閾値に達している場合には洗浄要と判断して上記給湯器から追焚用循環回路に湯を供給し、閾値に達していない場合には洗浄不要と判断して湯の供給を実行せず、
しかも制御手段は、上記外気温センサで検出された外気温度に基づき上記閾値を決定し、外気温度が高いほど閾値を小さくすることを特徴とする給湯器付き追焚装置。
【発明の詳細な説明】
【０００１】
【発明の属する技術分野】
本発明は、給湯器付き追焚装置に関する。
【０００２】
【従来の技術】
一般の追焚装置は、熱交換部（加熱部）と、この熱交換部に燃焼熱を供給する燃焼部と、熱交換部を通り両端が浴槽に接続される循環回路とを備えており、浴槽の湯を熱交換部で加熱しながら、循環回路内を循環させるようになっている。
ところで、浴槽の湯には人間に付着していた汚れが溶け出して浮遊している。この湯が循環回路を通る過程で、管路内壁に付着し、この汚れを基に微生物が繁殖する。すなわち湯垢が発生する。
特開平４−１９００４８に開示された追焚装置では、浴槽から排水がなされる度に、これを検出して、循環回路に接続された給湯器から通常の給湯温度より高い熱湯を供給し、湯垢を落としている。
【０００３】
【発明が解決しようとする課題】
しかし、上記追焚装置では、浴槽で排水がなされる度に熱湯を供給するため、入浴者がなかった場合でも、すなわち湯垢発生の要因がなかった場合でも、熱湯供給を行っており、熱エネルギー、水資源の無駄があった。
【０００４】
【発明が解決しようとする課題】
請求項１の発明は、加熱部と、この加熱部を通り両端が浴槽に接続される追焚用循環回路と、この追焚用循環回路に注湯管を介して連なる給湯器と、浴槽の排水を検出する排水検出手段と、浴槽水位を検出する水位センサと、制御手段とを備えた給湯器付き追焚装置において、さらに、外気温センサと、上記水位センサによる検出水位の上昇により人が浴槽に入ったことを検出する入浴検出手段と、この入浴検出手段で検出された入浴の回数を記憶する記憶手段とを備え、上記制御手段は、上記排水検出手段で排水を検出した時に、上記記憶手段で記憶された入浴回数に基づいて洗浄の要否を判断し、入浴回数が閾値以上で洗浄要と判断した時には、上記給湯器から追焚用循環回路に湯を供給し、入浴回数が閾値未満で洗浄不要と判断した時には湯の供給を実行せず、しかも制御手段は、上記外気温センサで検出された外気温度に基づき上記閾値を決定し、外気温度が高いほど閾値を小さくすることを特徴とする。
【０００５】
請求項２の発明は、加熱部と、この加熱部を通り両端が浴槽に接続される追焚用循環回路と、この追焚用循環回路に注湯管を介して連なる給湯器と、浴槽の排水を検出する排水検出手段と、浴槽水位を検出する水位センサと、制御手段とを備えた給湯器付き追焚装置において、さらに、外気温センサと、上記水位センサによる検出水位の上昇により人が浴槽に入ったことを検出する入浴検出手段と、この入浴検出手段で検出された入浴の時間を記憶する記憶手段とを備え、上記制御手段は、上記排水検出手段で排水を検出した時に、上記記憶手段で記憶された入浴時間に基づいて洗浄の要否を判断し、入浴時間が閾値以上で洗浄要と判断した時には、上記給湯器から追焚用循環回路に湯を供給し、入浴時間が閾値未満で洗浄不要と判断した時には湯の供給を実行せず、しかも制御手段は、上記外気温センサで検出された外気温度に基づき上記閾値を決定し、外気温度が高いほど閾値を小さくすることを特徴とする。
【０００６】
請求項３の発明は、加熱部と、この加熱部を通り両端が浴槽に接続される追焚用循環回路と、この追焚用循環回路に注湯管を介して連なる給湯器と、浴槽の排水を検出する排水検出手段と、制御手段とを備えた給湯器付き追焚装置において、さらに外気温センサを備え、上記制御手段は、上記排水検出手段で排水を検出した時に洗浄の要否を判断し、過去の湯張り回数または排水回数が閾値に達している場合には、洗浄要と判断して上記給湯器から追焚用循環回路に湯を供給し、閾値に達していない場合には洗浄不要と判断して湯の供給を実行せず、しかも制御手段は、上記外気温センサで検出された外気温度に基づき上記閾値を決定し、外気温度が高いほど閾値を小さくすることを特徴とする。
請求項４の発明は、加熱部と、この加熱部を通り両端が浴槽に接続される追焚用循環回路と、この追焚用循環回路に注湯管を介して連なる給湯器と、浴槽の排水を検出する排水検出手段と、制御手段とを備えた給湯器付き追焚装置において、さらに外気温センサを備え、上記制御手段は、上記排水検出手段で排水を検出した時に洗浄の要否を判断し、前回の洗浄からの経過時間が閾値に達している場合には洗浄要と判断して上記給湯器から追焚用循環回路に湯を供給し、閾値に達していない場合には洗浄不要と判断して湯の供給を実行せず、しかも制御手段は、上記外気温センサで検出された外気温度に基づき上記閾値を決定し、外気温度が高いほど閾値を小さくすることを特徴とする。
【０００８】
【発明の実施の形態】
以下、本発明に係わる給湯器付き追焚装置の実施形態を、図面を参照して説明する。
図１に示すように、追焚装置は、ケーシング１内に組み込まれた熱交換部２（加熱部）と燃焼部３とを備えている。熱交換部２は、多数のフィンプレート４と、このフィンプレート４を貫通する傾斜した受熱管５とを有している。燃焼部３は、ガスバーナからなり、ガスノズル６から噴射したガスと、ケーシング１の底部に接続されたファン（図示しない）からの空気とを混合して燃焼に供するようになっている。ガスノズル６には、弁を設けたガス管（図示しない）が接続されている。
【０００９】
上記ケーシング１において熱交換部２に対応する部位の外周は、ジャケット７で囲まれている。ジャケット７は、浴槽側の部位７ａと、浴槽と反対側の部位７ｂと、両者を連ねる一対の部位（図示しない）とを有しており、部位７ｂを除いて仕切り板７ｃにより、上下に分割されている。このジャケット７の浴槽側の部位７ａには、復路管８と往路管９の一端が接続され、これらの他端が浴槽Ａに接続されている。浴槽Ａの湯は、復路管８，ジャケット７，受熱管４，往路管９を経て浴槽Ａに戻るようになっており、これら復路管８，ジャケット７，受熱管４，往路管９が追焚用循環回路１０を構成している。
【００１０】
上記復路管８と往路管９との間にはバイパス管１１が接続されており、このバイパス管１１にポンプ１２が設けられている。往路管９には温度センサ１３が設けられており、ジャケット７の部位７ｂには圧力センサからなる水位センサ１４が設けられている。
【００１１】
追焚装置はさらに給湯器２０を備えている。この給湯器２０は、追焚装置の本体と同様であるので詳述しないが、ケーシング２１内に設けられた熱交換部２２およびガスバーナからなる燃焼部２３と、ケーシング２１の底部に接続されたファン（図示しない）と、給湯配管２４とを備えている。給湯配管２４は、この熱交換部２２を通る受熱管２５と、受熱管２５の入口端に接続された給水管２６と、受熱管２４の出口端に接続された給湯管２７とを有している。給湯管２７の末端には給湯栓２８が設けられている。
【００１２】
上記給湯管２７には、水量制御弁３０と温度センサ３１が設けられており、それより下流側には注湯管３２の一端が接続されている。この注湯管３２の中間部には電磁開閉弁からなる注湯弁３３が設けられている。注湯管３２の他端は分岐され、一方の分岐管３２ａがジャケット７の部位７ａの底部に接続され、他方の分岐管３２ｂがジャケット７の部位７ｂの上部ないしは中間部に接続されている。
【００１３】
追焚装置はさらに、制御ユニット４０（制御手段，記憶手段）とリモートコントローラ５０を備えている。この制御ユニット４０は、リモートコントローラ５０からの信号、および水位センサ１４，温度センサ１３，３１からの検出信号に基づき、燃焼部３，２３への点火，ガス供給制御（燃焼制御）を行うとともに、ポンプ１２，水量制御弁３０，注湯弁３３を制御する。
【００１４】
上記構成において、リモートコントローラ５０の自動運転スイッチのオンに応答して、制御ユニット４０は、最初に湯張り動作を行う。すなわち、給湯器２０の燃焼部２３での燃焼を行うとともに、注湯弁３３を開く。これにより、給水管２６からの水が熱交換部２５で加熱され、湯となって給湯管２７，注湯管３２、ジャケット７を経、さらに復路管８，往路管９に別れて浴槽Ａに供給される。この際、温度センサ３１で検出される湯温がリモートコントローラ５０で設定される温度になるように、燃焼部２３での燃焼が制御される。この湯張りは、水位センサ１４で検出される浴槽Ａの水位が、リモートコントローラ５０で設定された水位に達した時に終了する。
【００１５】
上記湯張り終了後に、上記浴槽Ａの湯を、設定水位，設定温度に維持するモードを実行する。すなわち、水位センサ１４の検出水位が低下した時には、上記湯張りを行って湯を注ぎ足す。また、所定時間間隔でポンプ１２を駆動して温度センサ１３で浴槽Ａの湯温を検出し、設定温度より低い時には、追焚を行う。
上記追焚では、燃焼部３での燃焼を実行するとともに、ポンプ１２を駆動する。これにより、浴槽Ａから、復路管８，バイパス管１１，往路管９を経て浴槽Ａに戻る循環流が発生する。この時、浴槽Ａの湯の一部は、この強制循環流に追随するようにして、復路管８からジャケット７の部位７ａの下部に入り、ここから２手に別れケーシング１を回り込んでジャケット７の部位７ｂに至り、ここから受熱管５を通る過程で加熱され、ジャケット７の部位７ａの上部に達し、さらにポンプ１２による循環流と一緒に往路管９を経て浴槽Ａに戻る。このようにして追焚が実行される。なお、温度センサ１３で検出される湯温が設定温度に達したら、追焚を終了する。
【００１６】
また、制御ユニット４０は、リモートコントローラ５０の追焚スイッチのオンに応答しても、上記追焚を実行する。
なお、本発明とは直接関係無いが、給湯制御について簡単に説明しておく。給湯栓２８が開かれた時には、給湯配管２７に設けたフローセンサ（図示しない）が水流を検出し、制御ユニット４０はこの水流検出に応答して、給湯栓２８からの出湯温度（温度センサ３１での検出温度）が設定温度になるように、燃焼部２３の燃焼を制御する。
【００１７】
次に、本発明の特徴部について説明する。すなわち、浴槽Ａの栓Ｂを抜いて浴槽Ａの湯を排水する度に、循環回路１０の洗浄が必要か否かを判断する。そして、必要と判断した場合にのみ熱湯を循環回路１０に供給する。以下、制御ユニット４０で実行される洗浄制御ルーチンについて図２を参照しながら説明する。
この洗浄制御ルーチンは、湯張りが終了した時点で開始される。まず、水位センサ１４で検出される浴槽Ａの水位を読み込む（ステップ１０１）。この水位検出は、所定時間間隔で実行される。次に、この検出水位が所定量以上上昇したか否かを判断する（ステップ１０２）。すなわち、浴槽Ａに人が入って水位が上昇したか否かを判断する。
【００１８】
上記ステップ１０２で肯定判断した時、すなわち入浴有りと判断した時には、入浴があった事実を表す入浴フラグ（記憶手段）をセットする（ステップ１０３）。ステップ１０２で否定判断した時には、浴槽Ａが排水されたか否かを判断する（ステップ１０４）。すなわち、水位センサ１４での検出水位が、復路管８の浴槽Ａへの接続端に対応する水位かこれより低い値を示した時に、排水と判断し、これより上の水位を検出した時には排水されていないと判断する。
【００１９】
上記ステップ１０４で排水なしと判断した時には、ステップ１０１に戻り、排水と判断した時には、入浴フラグがセットされているか否か、すなわち、湯張り後に入浴者が有ったか否かを判断する（ステップ１０５）。ステップ１０５で肯定判断した時、すなわち、湯張り後、少なくとも１回は入浴した事実があると判断した時には、循環回路１０に熱湯を供給してその洗浄を行う（ステップ１０６）。
【００２０】
詳述すると、給湯器２０の燃焼部２３で最大燃焼熱量での燃焼を実行し、水量制御弁３０を絞って流量を制限することにより、通常の給湯温度より高い７０°Ｃ以上の熱湯を得る。これと同時に注湯弁３３を開く。その結果、給湯器２０からの熱湯が注湯管３２を通り、分岐管３２ａを介してジャケット７の浴槽Ａに近い部位７ａの下部に供給され、さらにここから復路管８を経て浴槽Ａに吐出される。これと同時に、上記熱湯は、分岐管３２ｂを経てジャケット７の浴槽Ａから遠い部位７ｂに供給され、ここから受熱管５を通り、さらに往路管９を経て浴槽Ａに吐出される。この熱湯の通過により、追焚用循環回路１０の管路内壁に付着した湯垢を落とすことができる。なお、熱湯を２手に別けて、最も湯垢が発生し易いジャケット７の部位７ａの下部と、ジャケット７の部位７ｂに供給することにより、良好に湯垢除去を行うことができる。また、２手に別れた湯は復路管８と往路管９の両方に確実に供給され、これら管８，９の湯垢除去も確実に行うことができる。
【００２１】
次に、ステップ１０７に進み、水量制御弁３０を全開にして、大流量の比較的ぬるい湯を上記と同じ経路を通って追焚用循環回路１０に供給し、管路から剥がれた湯垢を浴槽Ａに排出し、さらに栓Ｂを抜かれた浴槽Ａの底部開口から排出する。なお、この場合、給湯器２０の燃焼部２３での燃焼を停止して、大流量の水を循環回路１０に供給してもよい。
次に、上記入浴フラグをクリアして（ステップ１０８）、このルーチンを終了する。
【００２２】
上記ステップ１０５で否定判断した時、すなわち、湯張り後、誰も入浴しないで排水がなされたと判断した時には、上記ステップ１０６，１０７，１０８を回避して、この制御ルーチンを終了する。入浴無しで排水された場合のように、循環回路１０に湯垢の発生要因が生じない場合には、熱湯洗浄を省略するので、燃料の無駄（熱エネルギーの無駄）や水資源の無駄を無くすことができる。
【００２３】
図３は洗浄制御ルーチンの他の態様を示す。このルーチンでは、湯張り後、排水までの間の入浴回数に基づいて洗浄要否の判断を行うようにしている。なお、このルーチンにおいて、図２の制御ルーチンと共通するステップについては同番号を付してその詳細な説明を省略する。
ステップ１０２で肯定判断した時には、図２のステップ１０３の入浴フラグセットの代わりに、入浴回数をインクリメントする。すなわち、メモリ（記憶手段）に記憶された入浴回数に１だけ加算する。ステップ１０４で排水判断した時には、まず外気温センサ（図１中符号６０で示す）で検出される外気温度により閾回数（閾値）を決定する（ステップ２００）。この閾回数は、外気温度が高いほど小さくする。次に、上記メモリで記憶された入浴回数が上記閾回数以上か否かを判断する（１０５Ａ）。肯定判断した時には、図２のルーチンと同様にステップ１０６，１０７を実行して循環回路１０の管路の湯垢落としを行い、メモリに記憶された入浴回数をクリアしてゼロに戻す（１０８Ａ）。ステップ１０５Ａで否定判断した時には、管路洗浄を行わずに終了する。
【００２４】
図３の制御では、入浴回数が少ない時には循環回路１０での湯垢発生の可能性が低いので管路洗浄を行なわず、より一層きめ細かな判断を行うことができる。また、外気温度が高い時には、少ない入浴回数でも湯垢の発生の可能性が高まるので、管路洗浄を行い、外気温度が低い時には、入浴回数を多くしても湯垢発生の可能性が低いので管路洗浄を省略する。このように、外気温度により湯垢発生の可能性を考慮して管路洗浄の可否の判断を行うことができる。
【００２５】
図３の制御態様では、熱湯供給による管路洗浄を行うまで、入浴回数を積算する。換言すれば、前回の湯張り後に管路洗浄を行わなかった時には、今回の湯張り後の入浴回数のみならず、前回の湯張りの際の入浴回数を加算しており、入浴回数と湯垢発生の可能性との因果関係を高めており、より一層適切な湯垢除去を行うようにしている。しかし、ステップ１０５Ａで否定判断した時にも、ステップ１０８Ａを実行することにより、今回の湯張りの際の入浴回数だけを、上記管路洗浄の可否の判断材料としてもよい。
【００２６】
図４はさらに他の態様をなす洗浄制御ルーチンを示す。このルーチンでは、湯張り後、排水までの間の合計入浴時間に基づいて洗浄要否の判断を行うようにしている。なお、このルーチンにおいて、図２の制御ルーチンと共通するステップについては同番号を付してその詳細な説明を省略する。
【００２７】
図４のルーチンでは、ステップ１０１とステップ１０２の間で、測定フラグがセットされているか否かを判断する（ステップ３０１）。この測定フラグは、人が入浴した時に、その入浴時間を計測中であることを表している。ステップ３０１で否定判断した時には、水位上昇か否かを判断し（ステップ１０２）、ここで肯定判断した時には、測定フラグをセットし（ステップ３０２）、入浴時間を計測する（ステップ３０３）。この計測は、メミリに記憶された前回入浴時までの計測時間に加算するようにして行う。なお、人が入浴して水位上昇を検出した後は、ステップ３０１で肯定判断し、ステップ１０２，３０２を回避して、ステップ３０３に進むから、後述の水位降下を検出するまで、入浴時間を計測することができる。
【００２８】
次に、浴槽Ａの検出水位が所定量以上降下したか否か、すなわち、人が浴槽から出たか否かを判断する（ステップ３０４）。ここで、否定判断した場合にはステップ１０１に戻り、入浴時間計測を継続する。ステップ３０４で肯定判断した場合には、測定フラグをクリアして（ステップ３０５）、ステップ１０４に進む。ここで否定判断した場合には、ステップ１０１に戻り、次の入浴のために待機する。
【００２９】
ステップ１０４で排水と判断した時には、ステップ３００に進み、ここで外気温センサ６０（図１）で検出される外気温度により閾時間（閾値）を決定する。この閾時間は、外気温度が高いほど小さくする。次に、上記入浴時間が上記閾時間以上か否かを判断する（１０５Ｂ）。肯定判断した時には、循環回路１０の管路洗浄を実行し（ステップ１０６，１０７）、メモリに記憶された入浴時間をクリアしてゼロに戻す（１０８Ｂ）。ステップ１０５Ｂで否定判断した時には、管路洗浄を行わずに終了する。
【００３０】
図４の制御では、入浴時間が少ない時には循環回路１０での湯垢発生の可能性が低いので管路洗浄を行なわず、より一層きめ細かな判断を行うことができる。また、外気温度が高い時には、少ない入浴時間でも湯垢の発生の可能性が高まるので、管路洗浄を行い、外気温度が低い時には、入浴時間を多くしても湯垢発生の可能性が低いので管路洗浄を省略する。このように、外気温度による湯垢発生の可能性を考慮して管路洗浄の可否の判断を行うことができる。
【００３１】
図４の制御態様では、熱湯供給による管路洗浄を行うまで、入浴時間を積算する。換言すれば、前回の湯張り後に管路洗浄を行わなかった時には、今回の湯張り後の入浴時間のみならず、前回の湯張りの際の入浴時間を加算しており、入浴時間と湯垢発生の可能性との因果関係を高めており、より一層適切な湯垢除去を行うようにしている。
しかし、ステップ１０５Ｂで否定判断した時にも、ステップ１０８Ｂを実行することにより、今回の湯張りの際の入浴時間だけを、上記管路洗浄の可否の判断材料としてもよい。
【００３３】
さらに、制御ユニット４０は、湯張り回数を計数して記憶し、閾回数に達した場合には、その湯張り後の排水検出時に、熱湯供給動作を行ってもよい。また、この湯張り回数の代わりに、排水回数を計数して記憶し、閾回数に達した時に、熱湯供給動作を行ってもよい。
また、入浴の有無、入浴回数、入浴時間等の情報に基づいて洗浄不要と判断しても、これら湯張り回数または排水回数に基づいて洗浄要と判断した時には、熱湯供給を行うようにしてもよい。
【００３４】
さらに、制御ユニットは、前回の熱湯供給による管路洗浄からの経過時間を内蔵時計で計測し、この経過時間が閾時間を経過した場合には、その後の排水検出に応答して熱湯供給による管路洗浄を行うようにしてもよい。
また、入浴の有無、入浴回数、入浴時間等の情報に基づいて洗浄不要と判断しても、この経過時間に基づいて洗浄要と判断した時には、熱湯供給を行うようにしてもよい。
【００３５】
上記湯張り回数，排水回数と比較される閾回数や、上記経過時間と比較される閾時間は、前述したと同様に外気温度，季節に応じて決定してもよい。
図１において、バイパス管１１とポンプ１２はなくてもよい。この場合、浴槽Ａの湯は加熱による自然循環だけで、循環回路１０内を流れる。
【００３６】
本発明は、図５に示す給湯器付き追焚装置にも適用できる。この装置は、追焚用循環回路５０のみ図１の装置と異なり、他の構成はほぼ同じであるので同符号を付して詳細な説明を省略する。循環回路５０は、熱交換部２を貫く受熱管５１と、復路管５２と往路管５３とを有している。復路管５２にポンプ５４が設けられ、浴槽Ａの湯を強制循環しながら追焚を行うようになっている。追焚は、復路管５２に設けた温度センサ５５での検出温度が設定温度に達した時に終了する。注湯管３２は、復路管５２において、ポンプ５４と熱交換部２との間に接続されており、この注湯管３２に浴槽Ａの水位を検出する水位センサ１４が設けられている。この実施形態では、管路洗浄時に、給湯器２０からの熱湯が注湯管３２から復路管５２に至り、ここで２手に別れ、一方は復路管５２を通って直接浴槽Ａに吐出され、他方は、熱交換部２を通り、往路管５３を通って浴槽Ａに吐出される。
図５の装置には、上述したすべての態様の洗浄制御ルーチンをそのまま適用することができる。
【００３７】
本発明は上記実施形態に制約されず、さらに種々の形態が可能である。例えば、給湯器の熱交換部と燃焼部を追焚用と共通にしたもの、いわゆる一缶２水路型の装置であってもよい。
【００３８】
【発明の効果】
以上説明したように、請求項１，２の発明によれば、入浴回数，入浴時間に基づき湯水供給をすべきか否かをきめ細かに適切に判断して、排水時に循環回路への湯水供給を行うか否かを決定するので、熱エネルギー，水資源の無駄を無くして効率良く循環回路の管路内壁の湯垢を除去することができる。
請求項３の発明によれば、湯張り回数，排水回数に基づいて、湯水供給をすべきか否かを、きめ細かに適切に判断することができる。
請求項４の発明によれば、前回からの湯水供給の経過時間に基づいて、湯水供給をすべきか否かを、きめ細かに適切に判断することができる。
また、請求項１〜４の発明によれば、外気温に応じて湯垢発生の可能性をより一層的確に把握することができ、湯水供給をすべきか否かを、より一層適切に判断することができる。
【図面の簡単な説明】
【図１】本発明の給湯器付き追焚装置の一実施形態を概略的に示すシステム図である。
【図２】同装置において循環回路の洗浄のために実施される制御ルーチンを示すフローチャートである。
【図３】洗浄のための他の制御ルーチンを示すフローチャートである。
【図４】洗浄のためのさらに他の制御ルーチンを示すフローチャートである。
【図５】他の実施形態をなす給湯器付き追焚装置を概略的に示すシステム図である。
【符号の説明】
２  熱交換部（加熱部）
３  燃焼部
１０  追焚用循環回路
１４  水位センサ
２０  給湯器
３２  注湯管
４０  制御ユニット（制御手段、記憶手段）
【図１】
0003810203.tif 000002
【図２】
0003810203.tif 000003
【図３】
0003810203.tif 000004
【図４】
0003810203.tif 000005
【図５】
0003810203.tif 000006